(57)【要約】【課題】従来と比較して施工が迅速確実に行え、死んだハチの飛散を抑えることができ、施工者の肉体的、精神的な苦痛を減らし、また、難防除のハチの巣でも駆除ができるハチ捕獲装置を提供する。【解決手段】  ハチを誘引する光を発する発光部１１と、発光部１１を目がけて飛行してきたハチを衝突させて落下又は飛行高度を下げさせるバリア部１２と、バリア部１２の下方に設けられ、落下した又は飛行高度を下げたハチＨを捕らえるキャッチ部１３と、を備えた構成とした。発光部１１を点灯させると、ハチは、発光部１１が発する光に誘引され、発光部の周りを飛び回るうちに、バリア部１２に衝突して落下するか飛行高度を下げ、キャッチ部１３の粘着力によって捕らえられる。【選択図】図１
2020114183.tif 000002
【特許請求の範囲】
【請求項１】
ハチを捕獲する装置であって、
ハチを誘引する誘引手段と、
前記誘引手段を目がけて飛行してきたハチを衝突させて落下又は飛行高度を下げさせるバリア部と、
前記バリア部の下方に設けられ、落下した又は飛行高度を下げたハチを捕らえるキャッチ部と、
を備えたことを特徴とするハチ捕獲装置。
【請求項２】
前記誘引手段は、ハチを誘引する光を発する発光部であることを特徴とする請求項１に記載のハチ捕獲装置。
【請求項３】
前記バリア部は、衝突面が平面状で、前記衝突面と水平方向とのなす角度が直角又は鋭角であることを特徴とする請求項１又は請求項２に記載のハチ捕獲装置。  
【請求項４】
前記衝突面は、前記発光部が発した光を反射する機能を有することを特徴とする請求項２に記載のハチ捕獲装置。
【発明の詳細な説明】
【技術分野】
【０００１】
本発明は、スズメバチ等のハチを誘引して捕獲するハチ捕獲装置に関する。
【背景技術】
【０００２】
スズメバチを始めとするハチは、人に危害を及ぼす重要な害虫として、夏場を中心に多くの駆除施工が行われる。一般にハチの駆除は、殺虫剤散布や手や用具による巣の撤去といった手法が用いられている（例えば特許文献１）。
【０００３】
これらの手法は、長年の経験から既に確立されたものとなっている。しかし、これらの手法では、施工に時間がかかるという問題、死んだハチが散乱するといった問題があった。また、施工者がハチの巣に近づかなくてはならないため、防護服を着用してもハチに刺されることがあり、施工者の肉体的、精神的苦痛が大きいという問題があった。また、施工者が巣に近づけないと施工できないため、屋根裏や軒下などに巣がある場合（いわゆる難防除のハチの巣）は駆除が困難であるという問題があった。
【先行技術文献】
【特許文献】
【０００４】
【特許文献１】特開２００２−３２２００４号公報
【発明の概要】
【発明が解決しようとする課題】
【０００５】
本発明は、このような事情に鑑みてなされたものであり、従来と比較して施工が迅速確実に行え、死んだハチの飛散を抑えることができ、施工者の肉体的、精神的な苦痛を減らし、また、難防除のハチの巣でも駆除ができるハチ捕獲装置を提供することを目的としている。
【課題を解決するための手段】
【０００６】
上記課題を解決するために、本発明に係るハチ捕獲装置は、ハチを誘引する誘引手段と、前記誘引手段を目がけて飛行してきたハチを衝突させて落下又は飛行高度を下げさせるバリア部と、前記バリア部の下方に設けられ、落下した又は飛行高度を下げたハチを捕らえるキャッチ部と、を備えたことを要旨とする。
【０００７】
ハチは、時速数十キロメートルで飛行することが可能である。誘引手段を目がけて飛行するときも、多くのハチはかなりのスピードが出ている。このため、不意に硬い障害物に衝突すると、その衝撃で跳ね返り、落下するか高度を下げる場合が多い。本発明によれば、誘引手段を目指して飛来したハチをバリア部に衝突させて落下又は飛行高度を下げさせ、落下した又は飛行高度を下げたハチをすかさずキャッチ部で捕らえるため、効率良くハチを捕獲することができると共に、死んだハチの飛散を抑えることができる。また、本発明に係るハチ捕獲装置は、設置してしまえば施工中は施工者がハチの巣に近づく必要がないため、施工者の肉体的、精神的苦痛を少なくすることができる。また、ハチの出入り口が確認できれば施工可能であるため、屋根裏や床下などのいわゆる難防除と思われる現場でも施工することができる。
【０００８】
また、本発明に係るハチ捕獲装置の一態様として、前記誘引手段は、ハチを誘引する光を発する発光部とすることができる。発明者らは、夜行性の昆虫に対してのライトトラップを長年実践してきたが、昼行性であるハチに対してもライトトラップは有効なのではないかと思い立ち、鋭意実験を重ね、ハチの走光性を確認した。
【０００９】
また、本発明に係るハチ捕獲装置の一態様として、前記バリア部は、衝突面が平面状で、前記衝突面と水平方向とのなす角度が直角又は鋭角であるようにすることができる。これによれば、水平方向に飛行して誘引手段に近づくハチに特に有効である。バリア部に衝突したハチが下方向に跳ね返るため、バリア部に衝突したハチの多くをキャッチ部によって捕らえることができるからである。
【００１０】
また、本発明に係るハチ捕獲装置の一態様として、前記衝突面は、前記発光部が発した光を反射する機能を有するようにすることができる。これによれば、特定方向に対する光強度を上げることができるため、例えば、衝突面をハチの巣に向けて使用した場合などに、ハチをより誘引することができる。
【発明の効果】
【００１１】
従来と比較して、施工が迅速確実に行え、死んだハチの飛散を抑えることができ、施工者の肉体的、精神的な苦痛を減らし、また、難防除のハチの巣でも駆除ができる
【図面の簡単な説明】
【００１２】
【図１】第一の実施形態に係るハチ捕獲装置を示した説明図である。
【図２】第一の実施形態に係るハチ捕獲装置を模式的に示した概念図である。
【図３】第二の実施形態に係るハチ捕獲装置を模式的に示した概念図である。
【図４】第三の実施形態に係るハチ捕獲装置を模式的に示した概念図である。
【図５】第四の実施形態に係るハチ捕獲装置を模式的に示した概念図である。
【発明を実施するための形態】
【００１３】
以下、本発明のハチ捕獲装置を具現化した実施形態について、図面を用いて説明するが、本発明の技術的範囲は、もちろんこれだけに限定されるものではない。なお、周知の技術に関しては、詳細な説明を省略する。
【００１４】
（第一の実施形態）
まず、第一の実施形態であるハチ捕獲装置１について、図１を参照して説明する。図１（ａ）はハチ捕獲装置１を示した説明図（正面図）であり、図１（ｂ）は、ハチ捕獲装置１を示した説明図（右側面図）である。
【００１５】
図１に示すように、ハチ捕獲装置１は、主に発光部１１（誘引手段に相当）、バリア部１２、キャッチ部１３で構成されている。
【００１６】
発光部１１は、誘虫ランプである。誘虫ランプは、ブラックライトとも呼ばれ紫外線を放射する電灯である。誘虫ランプの紫外線の波長が、多くの昆虫にとって最も誘引性が高いためである。ただし、本実施形態では誘虫ランプであるが、ハチは紫外線に限らず光に誘引されるため、一般の蛍光灯でも、電球でもＬＥＤ等でも構わない。また、まだ詳しいことはわかっていないが、波長、光強度、光源の大きさ、光源の形とパターン、光源の点滅、光源の高さ、光源の発光方向などの属性を変更することで、よりハチを誘引できる可能性がある。このため、詳細が判明した時点で、より誘引力の高い発光手段を選択してもよい。
【００１７】
発光部１１は、一端が後述のバリア部の左右に固定された取付け金具１１ａ、１１ａと、それぞれの取付け金具１１ａ、１１ａの他端に固定されたソケット１１ｂ、１１ｂによって後述のバリア部１２に取付けられている。発光部１１には、電源ケーブル１１ｃが接続され、電源ケーブル１１ｃの先にはインバータ回路１１ｄ及びバッテリ１１ｅが接続されている。
【００１８】
ハチ捕獲装置１は、高所に設置する場合も多く、作業性を考えるとできるだけ軽量であることが望ましい。このため、インバータ回路１１ｄ及びバッテリ１１ｅを外部に切り離し、電源ケーブル１１ｃを長くすることによって、ハチ捕獲装置１本体の軽量化を図っている。
【００１９】
バリア部１２は、平板であり、衝突面が略鉛直方向に立設している。すなわち、衝突面と水平方向とのなす角度は直角である。材質は樹脂製である。なお、本実施形態では軽量化のため樹脂製としているが、必ずしも樹脂製である必要はない。
【００２０】
キャッチ部１３は、段ボールシート１３ａ上に粘着剤１３ｂを塗布した、いわゆる粘着板（シート）である。これにより、落下した又は飛行高度を下げたハチを粘着させて効率良く捕らえることができる。粘着部１３は、反射部１２の下端に連接された樹脂製のベース部１２ａの上面に載置されている。
【００２１】
本実施形態では、発光部１１、バリア部１２、キャッチ部１３は、それぞれが連結部材等によって固定し合い、一体のものとなっているが、それぞれを別部材のまま地面や立木等に固定するものとしてもよい。
【００２２】
次に、ハチ捕獲装置１の使用方法について、図２を参照して説明する。図２はハチ捕獲装置１を模式的に示した概念図である。主要な構成のみを模式的に図示し、発光部１１は発光部であることをわかりやすくするために電球の形状で表している。電源ケーブル１１ｃ、インバータ回路１１ｄ及びバッテリ１１ｅ等は省略してある。
【００２３】
ハチ捕獲装置１を例えばスズメバチの捕獲に使用する場合、ハチ捕獲装置１は、スズメバチの巣Ｎの近くに、バリア部１２の衝突面を巣Ｎの方向に向けて設置する。具体的には、巣Ｎからの距離は３メートル以内の範囲が好ましく、１メートル以内の範囲がより好ましい。このとき、ハチが巣Ｎに出入りする穴の正面に設置するとよい。
【００２４】
発光部１１を点灯させると、スズメバチＨは、発光部１１が発する光に誘引され、発光部の周りを飛び回るうちに、バリア部１２に衝突して落下するか飛行高度を下げ、キャッチ部１３の粘着力によって捕らえられる。
【００２５】
発明者らは、相当数の現場で実験を行ったが、平均的な施工時間は準備も含め３０分程度であった。また、ほとんどの現場で女王蜂の捕獲が確認された。
本発明によれば、ハチの出入り口が確認できれば施工できるため、屋根裏や床下などのいわゆる難防除と思われる現場にも有効である。
また、従来の方法では、施工中に施工者がハチの巣に近づかなければならなかったため、施工者の肉体的、精神的苦痛が大きかったが、本発明によれば、施工中に施工者がハチの巣に近づく必要がないため、施工者の肉体的、精神的苦痛を減らすことができる。
【００２６】
（第二の実施形態）
次に、第二の実施形態であるハチ捕獲装置２について、図３を参照して説明する。図３はハチ捕獲装置２を模式的に示した概念図である。
【００２７】
ハチ捕獲装置２がハチ捕獲装置１と異なるのは、バリア部２２だけであるため、バリア部２２についてのみ説明する。ハチ捕獲装置１と同様の構成については説明を省略し、その参照符号を引用する。
【００２８】
バリア部２２は、平板で衝突面は発光部１１が発した光を反射する機能を有している。また、衝突面と水平方向とのなす角度が鋭角になっている。これにより、図中、左方向に向けて発光部１１が発する光を反射している。衝突面に光を反射する機能があることで、ハチをより誘引し捕獲できることが実験により確認されているが、その理由としては、図中左方向から見たときに光強度を上げることができると共に、例えば、水平方向から見た場合、発光部１１が衝突面の２２ａの位置辺りに映り込んで、発光部１１が二つあるように見えるためであると考えられる。すなわち、衝突面に映った発光部１１もまた本発明の誘引手段であるといえる。
【００２９】
なお、衝突面は鏡面状でもいいし、光を反射することができれば鏡面状でなくても構わない。材質は樹脂製である。なお、本実施形態では軽量化のため樹脂製としているが、必ずしも樹脂製である必要はない。
【００３０】
また、衝突面を凹面としてもよい。これによれば、懐中電灯や自動車のヘッドライトのように、見かけ上の光源が大きくなるため、設置場所によっては誘引効果の増大が期待できる。
【００３１】
また、衝突面が光を反射する機能を有していることの別の効果として、発光部１１に衝突するハチが減少するため、発光部１１のダメージを減らすことができるというものがある。ハチは発光部１１が発する光に誘引されて飛来するため、発光部１１に衝突するハチも少なくない。しかし、大型のハチが発光部１１に繰り返し衝突すると、発光部１１が損傷する可能性がある。この点、衝突面が光を反射する機能を有していると、衝突面に映った発光部１１に誘引されるハチもいるため、発光部１１に衝突するハチが減少し、発光部１１のダメージを減らすことができる。
【００３２】
発光部１１のバリア部２２側とは反対側に不透明なカバーを設けてもよい。そうすると、ハチはバリア部２２のみに衝突するようになり、発光部１１のダメージを防ぐことができ、清掃も簡単になる。
【００３３】
また、バリア部２２の衝突面と水平方向とのなす角度を例えば４５度以上９０度以下の範囲内で変更できるものとしてもよい。これによれば、ハチの巣の高さと、ハチ捕獲装置２の設置場所の高さに応じて、衝突面と水平方向とのなす角度を変更することができる。
【００３４】
（第三の実施形態）
次に、第三の実施形態であるハチ捕獲装置３について、図４を参照して説明する。図４はハチ捕獲装置３を模式的に示した概念図である。
【００３５】
図４に示すように、ハチ捕獲装置３は、主に発光部１１（誘引手段に相当）、バリア部３２、キャッチ部３３で構成されている。
【００３６】
発光部１１は、ハチ捕獲装置１のものと同様の構成であるが、ケース３４に収められている。
【００３７】
バリア部３２は、透明の部材で構成され、ケース３４の側方を塞いでいる。これにより、バリア部３２を透して発光部１１が見えるようになっている。バリア部３２は、衝突面と水平方向とのなす角度が鋭角になっている。
【００３８】
キャッチ部３３は、上方が開放した容器である。容器中には、例えば、人体には害がなく、ハチを活動不能にする液体が入っている。例えば、アルコール度数の高い酒類や食用油などである。一般的ではないが、ハチの成虫を焼酎に漬け込んでハチ酒を作る地域もあるといわれる。ハチ捕獲装置３によれば、殺虫剤等を用いないため、捕獲したハチをそのようなことにも利用することができる。
【００３９】
また、ハチ捕獲装置３によれば、ハチがバリア部３２にしか衝突しないため、発光部１１のダメージを防ぐと共に、清掃が容易となる。
【００４０】
発光部１１のバリア部３２側とは反対側に、懐中電灯や自動車のヘッドライトのように、鏡面状の反射板を設けてもよい。光が強くなり、光源の大きくなるため、誘引効果の増大が期待できる。また、バリア部３２にレンズカットを施してもよい。これによれば、不要な方向への光をカットしたり、特定方向の光を強くしたりすることができる。
【００４１】
（第四の実施形態）
次に、第四の実施形態であるハチ捕獲装置４について、図５を参照して説明する。図５はハチ捕獲装置４を模式的に示した概念図である。
【００４２】
ハチ捕獲装置４がハチ捕獲装置１と異なるのは、攻撃対象部４１（誘引手段に相当）だけであるため、攻撃対象部４１についてのみ説明する。ハチ捕獲装置１と同様の構成については説明を省略し、その参照符号を引用する。
【００４３】
攻撃対象部４１は、黒色で人の手の形状をしており、図示しない駆動手段によって、すばやく左右に往復運動可能となっている。ハチ駆除の専門業者の間では、ハチは、濃い色で水平方向にすばやく動くものを攻撃するといわれているため、このハチの習性を利用してハチを誘引しようというものである。このため、本実施形態では、黒色としたが必ずしも黒色である必要はなく、形状も人の手である必要はない。また、濃い色で水平方向にすばやく動くものを攻撃するという説も科学的な根拠は乏しいため、ハチがより攻撃性を示す対象が判明すれば、もちろんそれを用いてもよい。
【００４４】
夜間においては、誘引手段に発光部１１を用いることが有効であるが、昼間においては、夜間ほど効果は期待できない。このため、昼間においては、誘引手段にハチが攻撃性を示す対象を用いることが有効であると考えられる。
【００４５】
以上、本発明の実施形態について説明したが、上述した内容は、あくまでも本発明の一実施形態に関するものであって、本発明が上記内容に限定されることを意味するものではない。例えば、上記実施形態では、誘引手段に発光部１１、攻撃対象部４１を用いているが、匂いを加えたものにしてもよい。俗説によれば、スズメバチは攻撃をする際に警報フェロモンを含む毒液を放出するといわれており、警報フェロモンはスズメバチを誘引するといわれているため、警報フェロモンそのもの又は警報フェロモンと似た匂いを加えることで、誘引効果が増大することが期待できるからである。
【符号の説明】
【００４６】
１  ハチ捕獲装置
２  ハチ捕獲装置
３  ハチ捕獲装置
４  ハチ捕獲装置
１１  発光部（誘引手段）
１２  バリア部
１３  キャッチ部
２２  バリア部
３２  バリア部
３３  キャッチ部
４１  攻撃対象部（誘引手段）
【図１】
2020114183.tif 000003
【図２】
2020114183.tif 000004
【図３】
2020114183.tif 000005
【図４】
2020114183.tif 000006
【図５】
2020114183.tif 000007